(57)【要約】【課題】現金処理機の紙幣金庫等を増設せずに新紙幣と旧紙幣とを並行使用する環境に対応すると共に旧紙幣を分別して回収する手段を提供する。【解決手段】入金口と、該入金口に投入された紙幣を一時保留する複数の一時保留部を有する紙幣入出金部を備えた現金処理機において、新紙幣と旧紙幣の全ての金種を鑑別する入金鑑別部を設け、少なくとも一つの一時保留部に２種類以上の紙幣の集積を設定し、入金鑑別部の鑑別結果を基に、入金口に新紙幣と旧紙幣を共にして投入された紙幣を一時保留部に分別して集積すると共に、施封小束支払部の複数の集積部にそれぞれ設定された紙幣を施封部により小束紙幣にする。【選択図】        図１
2005099887.tif 000002
【特許請求の範囲】
【請求項１】
入金口と、該入金口に投入された紙幣を一時保留する複数の一時保留部を有する紙幣入出金部を備えた現金処理機において、
新紙幣と旧紙幣の全ての金種を鑑別する入金鑑別部を設け、少なくとも一つの一時保留部に２種類以上の紙幣の集積を設定したことを特徴とする現金処理機。
【請求項２】
請求項１において、
前記一時保留部に設定する紙幣の種類を、２種類以上の異なった金種の新紙幣または旧紙幣としたことを特徴とする現金処理機。
【請求項３】
請求項１において、
前記一時保留部に設定する紙幣の種類を、同一金種の新紙幣と旧紙幣としたことを特徴とする現金処理機。
【請求項４】
請求項１、請求項２または請求項３において、
前記紙幣入出金部と部間搬送路で連結し、複数の集積部を有する施封小束支払部を設け、前記複数の集積部にそれぞれ異なった種類の紙幣を集積して施封することを特徴とする現金処理機。
【請求項５】
入金口と、該入金口に投入された紙幣を一時保留する複数の一時保留部を有する紙幣入出金部と、新紙幣と旧紙幣の全ての金種を鑑別する入金鑑別部とを備えた現金処理機の主制御部に、
前記入金鑑別部の鑑別結果の転送を受付ける鑑別結果受付ステップと、
少なくとも一つの一時保留部に２種類以上の紙幣の集積を設定する集積紙幣設定ステップと、
前記鑑別結果を基に、前記複数の一時保留部に前記紙幣設定に従って紙幣を分別して集積する紙幣分別集積ステップとを実行させることを特徴とする現金処理機のプログラム。
【発明の詳細な説明】
【技術分野】
【０００１】
本発明は、金融機関の支店等の営業店に設置され、大口の現金の支払や紙幣の小束施封を行う現金処理機およびそのプログラムに関する。
【背景技術】
【０００２】
従来の現金処理機は、入金口から投入された紙幣を入金鑑別部で鑑別して金種別に設けられた一時保留部に集積し、それぞれの紙幣金庫に収納している。
また、小束紙幣が必要な場合は、紙幣金庫に収納されている紙幣を繰出して施封部により小束に施封して金種別に設けた小束金庫に収納している（例えば、特許文献１参照。）。
【特許文献１】特開２００２−２４８９８号公報（第３頁、第５図）
【発明の開示】
【発明が解決しようとする課題】
【０００３】
日本紙幣は近々改刷が予定されており、改刷後においては今まで流通していた旧紙幣と改刷した新紙幣とを並行使用する環境が生じると同時に、金融機関では新紙幣の流通を促進するために旧紙幣を回収して中央銀行へ返却する必要が生じる。
このため、現金処理機においては、新紙幣の導入により同一金種の新紙幣と旧紙幣を共に取扱うことが必要になり、一時的に取扱う紙幣の種類を増加させることが求められると同時に、旧紙幣を分別して回収することが求められる。
【０００４】
しかしながら、上述した従来の技術においては、入金紙幣の一時保留部や紙幣金庫は１種類の紙幣を取扱うように設定されているため、改札された新紙幣である１万円紙幣や５千円紙幣、１千円紙幣およびこれらと同一金種の旧紙幣並びに２千円紙幣の７種類の紙幣を区別して取扱う場合には、一時的な紙幣の種類の増加に伴って投入された紙幣の一時保留部や紙幣金庫等を増設しなければならず、金融機関の負担を増大させ、多大な無駄が発生するという問題がある。
【０００５】
本発明は、上記の問題点を解決するためになされたもので、現金処理機の紙幣金庫等を増設せずに新紙幣と旧紙幣とを並行使用する環境に対応すると共に旧紙幣を分別して回収する手段を提供することを目的とする。
【課題を解決するための手段】
【０００６】
本発明は、上記課題を解決するために、入金口と、該入金口に投入された紙幣を一時保留する複数の一時保留部を有する紙幣入出金部を備えた現金処理機において、新紙幣と旧紙幣の全ての金種を鑑別する入金鑑別部を設け、少なくとも一つの一時保留部に２種類以上の紙幣の集積を設定したことを特徴とする。
また、入金口と、該入金口に投入された紙幣を一時保留する複数の一時保留部を有する紙幣入出金部と、新紙幣と旧紙幣の全ての金種を鑑別する入金鑑別部とを備えた現金処理機の主制御部に、前記入金鑑別部の鑑別結果の転送を受付ける鑑別結果受付ステップと、少なくとも一つの一時保留部に２種類以上の紙幣の集積を設定する集積紙幣設定ステップと、前記鑑別結果を基に、前記複数の一時保留部に前記紙幣設定に従って紙幣を分別して集積する紙幣分別集積ステップとを実行させることを特徴とする。
【発明の効果】
【０００７】
これにより、本発明は、新紙幣と旧紙幣を容易に分別して回収することができるという効果が得られる。
【発明を実施するための最良の形態】
【０００８】
以下に、図面を参照して本発明による現金処理機の実施例について説明する。
【実施例１】
【０００９】
図１は実施例１を示すブロック図、図２は実施例１の現金処理機を示すブロック図である。
図２において、１は金融機関の支店等の営業店に設置された現金処理機である。
２は現金処理機１の主制御部であり、通信部３により営業店の店内ＬＡＮ（Ｌｏｃａｌ  Ａｒｅａ  Ｎｅｔｗｏｒｋ）等のネットワークと接続しており、現金処理装置１の各部を制御すると共にデータ通信も制御する。
【００１０】
４は表示操作部であり、ＣＲＴやＬＣＤ等の表示画面とタッチパネル等の位置信号検出手段との組合せで構成されており、表示画面に営業店の出納担当者等の係員が行う業務の業務選択画面やその入力画面、在高情報、処理操作の手順等を表示する一方、位置信号検出手段により係員からの入力を受付ける。
５は入力部であり、係員を特定するための識別カードの読取りを行う図示しないカード取扱部や係員が出金額等の金額や選択した業務処理の識別記号等を入力する図示しないキーボード、紙幣等の計数を開始するための「計数開始」ボタンや処理や操作の終了を指示するための「完了」ボタン等の図示しない入力ボタン等が設けられる。
【００１１】
なお、「計数開始」ボタンや「完了」ボタン等の入力ボタンは、キーボードに設けられているファンクションキーを入力ボタンとして利用するようにしてもよい。
６はハードディスク等の記憶部であり、主制御部２が実行するプログラム等が格納され、現金処理装置１の操作履歴や主制御部２の処理結果等を記憶する。
７はプリンタ部であり、各種の業務処理の結果や在高情報等を紙葉に印刷する機能を有している。
【００１２】
８は紙幣入出金部であり、投入された紙幣を受入れ鑑別、計数して金種別に収納すると共に収納した紙幣を繰出して払出す機能を有する。
９は施封小束支払部であり、紙幣を一定枚数、例えば１００枚毎に束ねて紙帯等で施封して小束として収納すると共に施封された小束紙幣を払出す機能を有する。
なお、現金処理装置１には、他に未使用の紙幣（官封券）やこれに相当する紙幣（新札という。）を払出す新札支払部や硬貨入出金部、棒金支払部等のユニットや外部記憶装置等を装備するようにしてもよい。
【００１３】
図１において、１１は紙幣入出金部８の入金口であり、係員が投入する紙幣を受入れると共に受入れた紙幣を１枚毎に分離して搬送路１２ａへ繰出す分離機構を有する。
搬送路１２ａは、対向配置した一対のベルトまたは一対のローラ等により紙幣を挟持して搬送する搬送路である。後述する搬送路１２ｂ〜１２ｊおよび部間搬送路２０も同様である。
【００１４】
１３は入金鑑別部であり、新紙幣の１万円紙幣や５千円紙幣、１千円紙幣（それぞれ新万券、新５千券、新千券という。）と２千円紙幣（２千券という。特に示さない限り２千券は新紙幣に含めて説明する。）および旧紙幣の１万円紙幣や５千円紙幣、１千円紙幣（それぞれ旧万券、旧５千券、旧千券という。）の７種類の紙幣を識別するための紙幣識別情報が登録されており、入金口１１から搬送路１２ａにより搬送された紙幣の真偽や正損、新旧、金種および重送や斜行等の搬送異常を鑑別し、鑑別した紙幣の計数を行う。
【００１５】
１４ａ、１４ｂ、１４ｃ、１４ｄは一時保留部（これらを総称する場合は一時保留部１４という。）であり、入金鑑別部１３で真券と鑑別され、搬送路１２ｂ、１２ｃにより搬送された紙幣を集積し、一時保留する。
また、一時保留部１４には図示しない電子錠等の自動ロック機構が設けられており、主制御部２の指令により自動ロック機構を開錠して一時保留した紙幣を取り出すことができるように構成する。
【００１６】
１５ａ、１５ｂ、１５ｃ、１５ｄは紙幣金庫（これらを総称する場合は紙幣金庫１５という。）であり、一時保留部１４の下部にそれぞれ設置され、係員が入金等を確定した際に一時保留部１４から放出される紙幣を収納すると共に、出金時に紙幣金庫１５の図示しない分離機構によって収納している紙幣を搬送路１２ｄへ繰出す機能を有する。
１６は出金鑑別部であり、新紙幣や旧紙幣等の７種類の紙幣を識別するための紙幣識別情報が登録されており、紙幣金庫１５から繰出され搬送路１２ｄにより搬送された紙幣の真偽、正損、新旧、金種および搬送異常を鑑別し、鑑別した紙幣の計数を行う。
【００１７】
１７は紙幣入出金部８の出金口であり、出金鑑別部１６によって正券と鑑別され、搬送路１２ｅ、１２ｆ、１２ｇによって搬送された紙幣を集積して係員に引渡す。
１８は入金リジェクト部であり、入金鑑別部１３によって偽券や搬送異常等と鑑別され、搬送路１２ｈにより搬送された紙幣を集積して係員に返却する。
１９はリジェクト庫であり、出金鑑別部１６によって搬送異常等と鑑別され、搬送路１２ｅ、１２ｆ、１２ｇによって搬送された紙幣を収納する。
【００１８】
２０は部間搬送路であり、紙幣入出金部８と施封小束支払部９の間を接続する搬送路であって、紙幣入出金部８から施封小束支払部９へ紙幣を搬送する。
なお、部間搬送路２０は搬送路１２ｆと後述する搬送路２２ａとを連結して一本の搬送路として構成するようにしてもよい。
２１ａ、２１ｂは施封小束支払部９の集積部（これらを総称する場合は集積部２１という。）であり、紙幣入出金部８から部間搬送路２０を介して搬送路２２ａに受け渡され、それぞれの集積部２１に指定された紙幣の種類に応じて搬送路２２ａに設けた図示しない切替ブレードにより切替えられて搬送された紙幣を集積する。
【００１９】
また、集積部２１には図示しない電子錠等の自動ロック機構が設けられており、主制御部２の指令により自動ロック機構を開錠して一時保留した紙幣を取り出すことができるように構成する。
２３は施封部であり、集積部２１に集積された紙幣が所定の枚数、例えば１００枚に達した時に搬送路２２ｂにより束にして搬送された紙幣を紙帯により施封して小束紙幣として搬送路２２ｃへ搬出する機能を有する。
【００２０】
搬送路２２ａは、対向配置した一対のベルトまたは一対のローラ等により紙幣を挟持して搬送する搬送路である。また搬送路２２ｂ、２２ｃは対向配置した一対のベルト等により束にした紙幣を搬送する搬送路である。
２４ａ、２４ｂ、２４ｃ、２４ｄは小束金庫（これらを総称する場合は小束金庫２４という。）であり、施封部２３で小束にされた小束紙幣を収納する。
【００２１】
２５は予備収納庫であり、小束金庫２４に収納しきれなくなった小束紙幣を金種に関わらず収納する。
２６はキャリア搬送路であり、図示しないキャリアに小束紙幣を載せて搬送する搬送路であって、搬送路２２ｃから小束紙幣を受取り小束金庫２４や予備収納庫２５へ搬送して収納すると共に、小束金庫２４から繰出された小束紙幣をキャリアに載せてエレベータ２７へ搬送する機能を有する。
【００２２】
２８はシュータであり、搬送路２２ｃにより搬送された小束紙幣をその傾斜により滑らせて施封小束支払部９の外部へ排出する。
２９は施封小束支払部９の小束出金口であり、エレベータ２７により搬送された小束紙幣を係員へ引渡す。
上述した構成の作用について説明する、
なお、本実施例では日本紙幣を例に説明するが、入金口１１や出金口１７、入金鑑別部１３、出金鑑別部１６、紙幣金庫１５等が同時に取扱うことができる程度の形状に設定されている外国紙幣の場合も同様である。
【００２３】
まず、本実施例の現金処理機１による入金処理や出金処理等の取引処理について、その概要を説明する。
改刷後における新紙幣と旧紙幣とを並行使用する環境において、本実施例の現金処理機１は、新紙幣と旧紙幣の流通割合に応じて複数の紙幣運用モードを設け、選択した紙幣運用モードの紙幣金庫１５および小束金庫２４に収納する紙幣の種類を設定しながら取引処理を行っている。
【００２４】
例えば、改刷後に中央銀行から新紙幣が十分に供給され、市場からも新紙幣が少なからず回収されるようになり、出金処理を新紙幣のみとしても取引に支障がない場合は、入金は新紙幣と旧紙幣を共に受入れ、出金は新紙幣のみで行う新紙幣への移行期の紙幣運用モードにより取引処理を行う。
すなわち、係員は、現金処理機１の紙幣入出金部８の入金鑑別部１３が鑑別する紙幣の種類を新紙幣（新万券、新５千券、新千券、２千券）と旧紙幣（旧万券、旧５千券、旧千券）の７種類とし、出金鑑別部１６が鑑別する紙幣の種類を新万券、新５千券、新千券の３種類とする共に、一時保留部１４ａが一時保留して紙幣金庫１５ａに収納する紙幣を新万券に、一時保留部１４ｂが一時保留して紙幣金庫１５ｂに収納する紙幣を新５千券に、一時保留部１４ｃが一時保留して紙幣金庫１５ｃに収納する紙幣を２千券および旧紙幣に、一時保留部１４ｄが一時保留して紙幣金庫１５ｄに収納する紙幣を新千券に、リジェクト庫１９が収納する紙幣をリジェクト券に、図示しない損券庫が収納する紙幣を新紙幣の損券に設定する。
【００２５】
また、施封小束支払部９の小束金庫２４ａと２４ｂに収納する紙幣を新万券の正券に、小束金庫２４ｃと２４ｄに収納する紙幣を新千券の正券に設定する。
そして、紙幣金庫１５ｃを出金停止とすると共に、２千券の出金要求があった場合には図示しない新札支払部から出金するように入金時と出金時の処理を設定する。
上  記の設定を行った後に入金処理を行う場合は、係員は現金処理機１の表示操作部４の画面に表示されている業務選択画面から入金処理を選択し、「入金処理」ボタンを押下する。
【００２６】
これをタッチパネルの位置信号により認識した現金処理機１の主制御部２は、入金処理のために表示操作部４の画面に入金口１１への紙幣の投入を促す旨の文言を表示し、係員はこれに従って紙幣入出金部８の入金口１１へ新旧紙幣を共にして投入する。
これを検知した主制御部２は、入金口１１へ投入された新旧紙幣を入金口１１から繰出して搬送路１２ａにより入金鑑別部１３へ搬送する。
入金鑑別部１３では、搬送された紙幣の真偽、正損、新旧、金種、搬送異常等の鑑別と計数を行い、その鑑別結果を主制御部２へ転送する。
【００２７】
主制御部２は、転送された鑑別結果を基に鑑別された紙幣が真券である場合は、その紙幣の正損に関わらず紙幣を搬送路１２ｂ、１２ｃにより入金鑑別部１３から一時保留部１４へ搬送し、その紙幣が新万券のときは一時保留部１４ａへ、新５千券のときは一時保留部１４ｂへ、２千券および旧紙幣のときは一時保留部１４ｃへ、新千券のときは一時保留部１４ｄへ搬送して一時保留する。
【００２８】
鑑別された紙幣が偽券や外国紙幣および搬送異常等により鑑別できない紙幣等の異常紙幣の場合は、主制御部２は異常紙幣を搬送路１２ｈにより入金リジェクト部１８へ搬送して係員に返却する。
上記の入金作動を繰り返しながら取引処理における投入紙幣の入金処理が継続される。
この入金作動の過程で、施封小束支払部９の小束金庫２４に設定されている紙幣の種類を収納する紙幣金庫１５がほぼ満杯になるニアフル状態となったとき、例えば新万券を収納する紙幣金庫１５ａがニアフル状態となったときは、入金口１１からの投入紙幣の繰出を一時停止し、自動でまたは係員の入力を認識して紙幣金庫１５ａから新万券を繰出し、搬送路１２ｄにより出金鑑別部１６へ搬送する。
【００２９】
出金鑑別部１６では、搬送された紙幣の真偽、正損、新旧、金種、異常搬送等の鑑別と計数を行い、その鑑別結果を主制御部２へ転送する。
主制御部２は、鑑別結果を基に鑑別された紙幣が真券であり、かつ新紙幣の正券である場合は、その紙幣を搬送路１２ｅ、１２ｆおよび部間搬送路２０により出金鑑別部１６から施封小束支払部９へ搬送し、搬送路２２ａにより一方の集積部２１、例えば集積部２１ａへ搬送して集積する。
【００３０】
そして、集積部２１ａに集積された新万券が所定の枚数に達した時に搬送路２２ｂにより紙幣を束にして施封部２３へ搬送し、施封部２３で紙帯により施封した小束紙幣として搬送路２２ｃへ排出する。
主制御部２は小束紙幣の搬送路２２ｃへの排出を検知すると、キャリア搬送路２６のキャリアを移動させ、排出された小束紙幣をキャリアに載せて新万券に設定されている小束金庫２４ａまたは２４ｂへ搬送し、新万券の小束紙幣を設定された小束金庫２４へ収納する。
【００３１】
なお、収納すべき小束金庫２４が満杯の場合には、その小束紙幣の金種に関わらず予備収納庫２５へ搬送して収納する。
出金鑑別部１６で鑑別された紙幣が新万券の損券である場合は、主制御部２はその損券を図示しない損券庫へ搬送して収納する。
鑑別された紙幣が異常搬送等によるリジェクト券の場合は、主制御部２はそのリジェクト券を搬送路１２ｅ、１２ｆ、１２ｇによりリジェクト庫１９へ搬送して収納する。
【００３２】
この小束施封作動の終了後、主制御部２は上記の入金作動を再開する。
上記のようにして入金処理が行われ、全ての入金紙幣が一時保留部１４に一時保留されると、主制御部２は入金鑑別部１３が鑑別、計数した紙幣の種類毎の枚数や入金金額等を表示操作部４の画面に表示し、係員は表示内容を確認して入力部５の「完了」ボタンを押下する。
【００３３】
「完了」ボタンの押下を検知した主制御部２は、それぞれの一時保留部１４から紙幣金庫１５へ保管していた紙幣を放出し、それぞれの紙幣金庫１５に設定された紙幣を収納すると共に紙幣金庫１５の収納枚数に入金した紙幣枚数を加算して更新する。
その後、主制御部２は入金処理を終了させ、表示操作部４の画面に業務選択画面を表示して待機する。
【００３４】
出金処理を行う場合は、係員は現金処理機１の表示操作部４の画面に表示されている業務選択画面から出金処理を選択し、「出金処理」ボタンを押下する。
これを認識した現金処理機１の主制御部２は、出金処理のために表示操作部４の画面に出金内容の入力を促す旨の文言、出金額や金種毎の枚数等の指定を入力するための入力欄を表示した画面を表示し、係員はこれに従って金種毎の枚数等の指定を入力し、その入力内容を確認して入力部５の「完了」ボタンを押下する。
【００３５】
これを検知した主制御部２は、入力された出金額や金種の枚数等の指定を認識し、指定された金種を収納する紙幣金庫１５から紙幣を繰出し、搬送路１２ｄにより順次に出金鑑別部１６へ搬送する。
例えば指定金種が１万円であり、指定枚数が２５０枚である場合は、主制御部２は１万円紙幣を払出すために、紙幣金庫１５ａから新万券を繰出し、これを搬送路１２ｄにより順次に出金鑑別部１６へ搬送する。
【００３６】
出金鑑別部１６では、搬送された紙幣の真偽、正損、新旧、金種、搬送異常等の鑑別と計数を行い、その鑑別結果を主制御部２へ転送する。
主制御部２は、転送された鑑別結果を基に鑑別された紙幣が真券でありかつ新紙幣の正券である場合は、その紙幣を搬送路１２ｅ、１２ｆ、１２ｇにより出金口１７へ搬送して集積する。
【００３７】
鑑別された紙幣が損券である場合は、主制御部２はその損券を図示しない損券庫へ搬送して収納する。
鑑別された紙幣が搬送異常等によるリジェクト券の場合は、主制御部２はそのリジェクト券を搬送路１２ｅ、１２ｆ、１２ｇによりリジェクト庫１９へ搬送して収納する。
このようにして出金作動が行われ、指定金種の紙幣の正券が指定枚数計数され、出金口１７に集積されて係員に引渡される。複数の金種が指定された場合も同様である。
【００３８】
また、係員の指定に小束を含む場合は、主制御部２は施封小束支払部９によって指定金種の小束金庫２４、例えば小束金庫２４ａから新万券の小束紙幣を繰出してキャリア搬送路２６のキャリアに載せ、エレベータ２７へ搬送して指定された数の集積を終えた後にエレベータ２７により小束紙幣を持上げ、施封小束支払部９の小束出金口２９へ移動させて係員に引渡す。
【００３９】
このとき、小束紙幣が不足する場合は、出金口１７への出金紙幣の集積を一時停止し、主制御部２は自動でまたは係員の入力を認識して上記入金処理の小束施封作動と同様にして施封部２３で施封した小束紙幣を搬送路２２ｃへ排出し、そのまま搬送してシュータ２８により施封小束支払部９の外部へ放出して係員に引渡す。
上記のようにして、入力された金種等の指定に応じて紙幣や小束紙幣を払出す出金処理が行われ、紙幣や小束紙幣の出金口１７や小束出金口２９への集積を終えると、主制御部２は出金鑑別部１６が鑑別、計数した紙幣の種類毎の枚数や小束紙幣の束数、出金金額等をプリンタ部７により印刷する。
【００４０】
主制御部２は出金口１７等からの紙幣や小束紙幣を受取りを確認して紙幣金庫１５の収納枚数から出金した紙幣枚数を減算して更新する。
なお、回収処理が選択された場合は、その指定された紙幣金庫１５に収納されている全ての紙幣を搬送路１２ｄへ繰出して搬送し、出金鑑別部１６を通過させて搬送路１２ｅ、１２ｆ、１２ｇにより出金口１７へ搬送して回収する。
【００４１】
その後、主制御部２は出金処理または回収処理を終了させ、表示操作部４の画面に業務選択画面を表示して待機する。
以上のようにして、新紙幣への移行期の紙幣運用モードによる取引処理が行われる。他の紙幣運用モードの場合も紙幣金庫１５および小束金庫２４に収納する紙幣の種類が異なる以外は同様にして上記の各処理が行われる。
【００４２】
また、営業店のＡＴＭコーナ等に設置された自動取引装置においても同様の紙幣運用モードによる運用が行われており、一般に取引に用いる紙幣を収納する紙幣入出金庫の数が少ない自動取引装置においては、上記の紙幣金庫１５ｃと同様に複数種類の紙幣を混在させて収納する紙幣入出金庫を設けて一時的な紙幣の種類の増加に対応している。
このように複数種類の紙幣を混在させて収納する紙幣金庫１５ｃや自動取引装置の紙幣入出金庫から回収された紙幣には、循環使用するための新紙幣と中央銀行へ返却するための旧紙幣とが混在している場合があり、旧紙幣を回収して中央銀行へ返却する場合には、新紙幣と旧紙幣とを分別することが必要になる。
【００４３】
以下に、本実施例の現金処理機１による新紙幣と旧紙幣との分別処理の作動について、図３に示すフローチャートを用い、Ｓで示すステップに従って説明する。
本実施例の分別処理は、以下に説明するステップＳ３〜Ｓ８の新旧分別処理とステップＳ９〜Ｓ１３の小束施封処理とで構成され、分別計数処理で複数の種類の紙幣を混在させて集積した紙幣を再度入金口１１へ投入して小束施封処理を実行する。
【００４４】
なお、自動取引装置から回収された紙幣等のように事前にある程度分別された紙幣である場合は、新旧分別処理と小束施封処理とのどちらか一方のみを実行するようにしてもよい。
本実施例の現金処理機１の記憶部６には、予め分別処理の際の一時保留部１４へ集積する紙幣の種類の設定（紙幣設定という。）が格納されている。
【００４５】
すなわち、一時保留部１４ａに集積する紙幣は旧千券と旧５千券に、一時保留部１４ｂに集積する紙幣は旧万券に、一時保留部１４ｃに集積する紙幣は新千券と新５千券に、一時保留部１４ｄに集積する紙幣は新万券と２千券になるような紙幣設定が格納されている。
また、紙幣入出金部８の入金鑑別部１３が鑑別する紙幣の種類は、新紙幣と旧紙幣の全ての金種を鑑別するために７種類となるように設定されている。
【００４６】
分別処理を行う場合、係員は現金処理機１の表示操作部４の画面に表示されている業務選択画面から分別処理を選択し、「分別処理」ボタンを押下する。
Ｓ１、「分別処理」ボタンの押下をタッチパネルの位置信号により認識した現金処理機１の主制御部２は、分別処理のために表示操作部４の画面に図４に示す分別処理入力画面を表示する。
【００４７】
分別処理入力画面には、分別処理業務の選択を促す旨の文言と選択後の操作手順および２種類の紙幣を投入してこれを小束紙幣とするための「小束施封」ボタンと多種類の紙幣を投入して新紙幣と旧紙幣に分別するための「新旧分別」ボタン、並びに業務選択画面に戻るための「メニュー」ボタン等が表示される。
係員は、分別の目的に応じて「小束施封」ボタンまたは「新旧分別」ボタンを選択し、入力部５の「完了」ボタンを押下する。
【００４８】
なお、「メニュー」ボタンが押下された場合には、主制御部２は分別処理を終了させ、表示操作部４の画面に業務選択画面を表示して待機する（他の画面において「メニュー」ボタンが押下された場合も同様に作動する。）。
Ｓ２、「完了」ボタンの押下を検知した主制御部２は、「小束施封」ボタンが選択されている場合はステップＳ９へ、「新旧分別」ボタンが選択されている場合はステップＳ３へ移行する。
【００４９】
Ｓ３、新旧分別処理の選択を認識した主制御部２は、表示操作部４の画面に図５に示す分別紙幣設定変更画面を表示する。
分別紙幣変更設定画面には、紙幣設定を変更する場合の操作手順と「メニュー」ボタンおよび図５に［］を付して示した紙幣設定表示欄にそれぞれの一時保留部１４に予め設定されている紙幣設定、並びに紙幣設定を変更する場合に新紙幣および旧紙幣の別とその金種を選択するための「新紙幣」、「旧紙幣」、「万券」等の紙幣設定ボタン等が表示される。
【００５０】
係員は、紙幣設定を変更する必要がない場合は紙幣設定ボタンを押下せずに入力部５の「完了」ボタンを押下する。
紙幣設定を変更する場合は、係員は例えば一時保留部１４ａに集積する紙幣の種類として「新紙幣」と「万券」ボタンを押下する。
この時、紙幣設定表示欄に表示されている「旧千券・旧５千券」は消去され、新たに「新万券」の文字が表示される。次いで「旧紙幣」と「万券」ボタンを押下すると紙幣設定表示欄には「新万券・旧万券」と表示され、同様にして何種類かの紙幣を指定し、順に他の一時保留部１４の紙幣設定を変更して「完了」ボタンを押下する。
【００５１】
なお、例えば一時保留部１４ａを３種類の旧紙幣とするときは、「旧紙幣」のみを押下して次の一時保留部１４の紙幣設定を行うようにする。この時紙幣設定表示欄には「旧紙幣」と表示される。
本実施例では、係員は一時保留部１４ａ、１４ｂを旧紙幣（３種類）に、一時保留部１４ｃ、１４ｄを新紙幣（４種類）に変更して「完了」ボタンを押下する。
【００５２】
Ｓ４、「完了」ボタンの押下を検知した主制御部２は、紙幣設定が変更された場合はステップＳ５へ、紙幣設定が変更されなかった場合はステップＳ６へ移行する。
Ｓ５、紙幣設定の変更を認識した主制御部２は、各一時保留部１４に集積する紙幣を指定された紙幣設定に変更する。
なお、同一の紙幣設定を２箇所以上に設定した場合はエラーを表示し、ステップＳ３へ戻って分別紙幣設定変更画面を再表示する。
【００５３】
Ｓ６、主制御部２は、各一時保留部１４に設定された紙幣設定に従って新旧紙幣の分別計数を行う新旧分別処理を実行する。
すなわち、主制御部２は、表示操作部４の画面に図６に示す分別計数結果表示画面を表示する。
分別計数結果表示画面には、入金口１１への現金の投入を促す旨の文言と新旧分別処理の操作手順、「メニュー」ボタンおよび分別計数した各紙幣の合計枚数の分別紙幣枚数表示欄等が表示される。
【００５４】
この時、図６に［］を付して示した分別紙幣枚数表示欄は空欄となっており、分別計数が終了した時にその枚数が表示される。
係員は入金口１１へ新旧紙幣を共にした紙幣を投入し、「計数開始」ボタンを押下する。
「計数開始」ボタンの押下を検知した主制御部２は、入金口１１へ紙幣が投入されたことを確認して上記の入金処理の作動と同様にして投入された紙幣の入金鑑別部１３での鑑別と計数を行い、設定された紙幣設定に従って一時保留部１４に紙幣を分別して集積する。
【００５５】
本実施例では、一時保留部１４ａ、１４ｂに３種類の旧紙幣が、一時保留部１４ｃ、１４ｄに４種類の新紙幣が集積される。また指定されなかった種類の紙幣は入金リジェクト部１８へ搬送される。
なお、紙幣設定が変更されていない場合は、一時保留部１４ａに旧千券と旧５千券が、一時保留部１４ｂに旧万券が、一時保留部１４ｃに新千券と新５千券が、一時保留部１４ｄに新万券と２千券が集積され、例えば一時保留部１４ａに新旧千券が、一時保留部１４ｂに新旧万券が、一時保留部１４ｃに新旧５千券が、一時保留部１４ｄに２千券が設定された場合はその設定に従って各一時保留部１４にその紙幣が集積される。
【００５６】
また、一時保留部１４に集積した紙幣がフル状態となったときは、主制御部２は、入金口１１からの投入紙幣の繰出を一時停止し、表示操作部４の画面にその旨と一時保留部１４の部位を表示し、一時保留部１４の自動ロック機構を開錠して一時保留部１４を開放し、係員が開放された一時保留部１４からフル状態となった紙幣を取り出したとき、これを検知した主制御部２は、一時保留部１４を施錠して上記の新旧分別処理を継続する。
【００５７】
Ｓ７、投入された全ての紙幣の各一時保留部１４への集積を終えた主制御部２は、表示操作部４の画面に表示している図６の分別紙幣枚数表示欄に入金鑑別部１３が鑑別、計数した紙幣の種類毎の合計枚数等を表示し、係員は表示内容を確認して入力部５の「完了」ボタンを押下する。
Ｓ８、「完了」ボタンの押下を検知した主制御部２は、一時保留部１４の自動ロック機構を開錠して一時保留部１４を開放し、係員が一時保留部１４から分別して集積した紙幣を取り出したことを確認して一時保留部１４を施錠し、ステップＳ１４へ移行する。
【００５８】
Ｓ９、小束施封処理の選択を認識した主制御部２は、表示操作部４の画面に図７に示す施封紙幣設定入力画面を表示する。
施封紙幣設定入力画面には、施封する紙幣の種類の指定を促す旨の文言と指定後の操作手順と「メニュー」ボタンおよび集積部２１ａ、２１ｂへそれぞれ集積して施封する紙幣の種類を指定するための「新万券」等の紙幣の種類を表示した紙幣選択ボタンと施封する紙幣の正損等の券種の別を指定するための「指定券」、「正券」、「損券」を表示した券種選択ボタン、並びに正損レベルを指定するための図７に［］で示した正損レベル入力表示欄および紙幣選択ボタンと券種選択ボタンを押下したときにその内容を表示するための図５に［］で示した指定紙幣表示欄と指定券種表示欄等が表示される。
【００５９】
係員は、分別して施封する２種類の紙幣とその券種とを選択し、必要に応じて予め設定されている正損レベルを変更する。
本実施例では、係員は集積部２１ａに集積する紙幣の種類として「新万券」ボタンを押下（この時、指定紙幣表示欄には「新万券」の文字が表示される。）し、これを正損に関わらず施封するために「指定券」ボタンを押下（この時、指定紙幣表示欄には「指定券」の文字が表示される。）する。次いで集積部２１ｂに集積する紙幣の種類として「旧万券」ボタンと「指定券」ボタンを押下して入力部５の「完了」ボタンを押下する。
【００６０】
Ｓ１０、「完了」ボタンの押下を検知した主制御部２は、各集積部２１に設定された紙幣設定に従って紙幣の小束施封を実行する。
すなわち、主制御部２は、表示操作部４の画面に図８に示す小束施封結果表示画面を表示する。
小束施封結果表示画面には、入金口１１への現金の投入を促す旨の文言と小束施封処理の操作手順、「メニュー」ボタンおよび小束施封した紙幣の合計枚数、小束紙幣の作成束数と各集積部２１に残留した施封する所定の枚数に満たなかった紙幣の枚数（端数という。）の各表示欄等が表示される。
【００６１】
この時、図８に［］を付して示した各表示欄は空欄となっており、小束施封が終了した時にその枚数や束数が表示される。
係員は入金口１１へ新旧万券を共にした紙幣を投入し、「計数開始」ボタンを押下する。
「計数開始」ボタンの押下を検知した主制御部２は、入金口１１へ紙幣が投入されたことを確認して入金口１１へ投入された新旧万券を入金口１１から繰出して搬送路１２ａにより入金鑑別部１３へ搬送する。
【００６２】
入金鑑別部１３では、搬送された紙幣の真偽、正損、新旧、金種、搬送異常等の鑑別と計数を行い、その鑑別結果を主制御部２へ転送する。
主制御部２は、転送された鑑別結果を基に鑑別された紙幣が真券であり、かつ新旧万券の場合は、その紙幣の正損に関わらず紙幣を搬送路１２ｂ、１２ｉ、１２ｊ、１２ｆおよび部間搬送路２０により入金鑑別部１３から施封小束支払部９へ搬送し、搬送路２２ａにより集積部２１に搬送する。
【００６３】
そして、搬送した紙幣が新万券のときは集積部２１ａへ、旧万券のときは集積部２１ｂへ搬送して集積し、どちらかの集積部２１に集積された紙幣が所定の枚数に達した時に搬送路２２ｂにより紙幣を束にして施封部２３へ搬送し、施封部２３で紙帯により施封した小束紙幣を搬送路２２ｃによりシュータ２８へ搬送し、シュータ２８のより施封小束支払部９の外部へ放出して集積する。
【００６４】
鑑別された紙幣が搬送異常等により鑑別できない紙幣または集積部２１に設定されていない紙幣（本実施例では、新旧万券以外の紙幣）の場合は、主制御部２はこれらを搬送路１２ｈにより入金リジェクト部１８へ搬送して係員に返却する。
Ｓ１１、投入された新旧万券の施封および小束紙幣の集積を終えた主制御部２は、表示操作部４の画面に表示している図８の各表示欄に入金鑑別部１３が鑑別、計数した紙幣の種類毎の合計枚数や小束紙幣の作成束数および各集積部２１に残留した端数等を表示し、係員は表示内容を確認して入力部５の「完了」ボタンを押下する。
【００６５】
Ｓ１２、「完了」ボタンの押下を検知した主制御部２は、集積部２１に端数の紙幣が残留する場合はステップＳ１３へ、端数がない場合はステップＳ１４へ移行する。
Ｓ１３、「完了」ボタンの押下を検知した主制御部２は、集積部２１の自動ロック機構を開錠して集積部２１を開放し、係員が集積部２１から残留している端数の紙幣を取り出したことを確認して集積部２１を施錠する。
【００６６】
Ｓ１４、新旧分別処理または小束施封処理を終えた主制御部２は、それぞれの処理結果をプリンタ部７によって印刷して出力する。
その後、現金処理機１の主制御部２は、紙幣設定を予め記憶部６に格納されている紙幣設定に戻して分別処理を終了させ、表示操作部４の画面に業務選択画面を表示して待機する。
【００６７】
なお、本実施例においては、一時保留部１４を４つ設けるとして説明したが、一時保留部１４は２つ以上であれば幾つであってもよい。
以上説明したように、本実施例では、新紙幣と旧紙幣の全ての金種を鑑別する入金鑑別部を設け、少なくとも一つの一時保留部に２種類以上の紙幣を混在させて集積するようにしたことによって、紙幣金庫等を増設せずに現金処理機を新紙幣と旧紙幣とを並行使用する環境に容易に対応させることができると共に、新紙幣と旧紙幣を容易に分別して回収することができ、旧紙幣から新紙幣への流通紙幣の移行の促進に寄与することができる。
【００６８】
上記に加えて、一時保留部に２種類以上の異なった金種の新紙幣または旧紙幣を混在させて集積するようにしたことによって、再利用する新紙幣と中央銀行へ返却する旧紙幣を容易に分別することができ、金融機関の紙幣運用の効率化を図ることができる。
また、一時保留部に同一金種の新紙幣と旧紙幣を混在させて集積し、２つの集積部を有する施封小束支払部により小束紙幣とするようにしたことによって、新紙幣と旧紙幣を同時に施封することができる。
【００６９】
更に、紙幣入出金部と連結した複数の集積部を有する施封小束支払部を設け、異なった種類の紙幣を集積して施封するようにしたことによって、小束紙幣の作成業務の効率化を図ることができる。
【実施例２】
【００７０】
本実施例のシステム構成は、図１、図２に示す上記実施例１と同様である。
また、実施例１と同様の部分は、同一の符号を付してその説明を省略する。
以下に、本実施例の現金処理機１による新紙幣と旧紙幣との連続分別処理の作動について、図９に示すフローチャートを用い、ＳＡで示すステップに従って説明する。
本実施例は、主に改刷直後または新紙幣への移行期の前期等の比較的旧紙幣が多く存在する紙幣を大量に分別計数する場合に用いる。
【００７１】
本実施例の現金処理機１の記憶部６には、予め分別処理の際の紙幣設定が格納されている。
すなわち、紙幣入出金部８の一時保留部１４ａに集積する紙幣は旧５千券に、一時保留部１４ｂに集積する紙幣は新万券に、一時保留部１４ｃに集積する紙幣は新千券に、一時保留部１４ｄに集積する紙幣は新５千券と２千券に、施封小束支払部９の集積部２１ａに集積する紙幣は旧万券に、集積部２１ｂに集積する紙幣は旧千券になるような紙幣設定が格納されている。
【００７２】
また、紙幣入出金部８の入金鑑別部１３が鑑別する紙幣の種類は、新紙幣と旧紙幣の全ての金種を鑑別するために７種類となるように設定されている。
分別処理を行う場合、係員は上記実施例１と同様にして業務選択画面から「分別処理」ボタンを押下する。
なお、一時保留部１４ａへ集積する旧紙幣は比較的流通量の少ない旧５千券とするのが望ましく、一時保留部１４ｄへ集積する２種類の新紙幣は比較的流通量の少ない新５千券と２千券とするのが望ましい。
【００７３】
Ｓ１、「分別処理」ボタンの押下を認識した現金処理機１の主制御部２は、表示操作部４の画面に図１０に示す分別処理入力画面を表示する。
分別処理入力画面には、実施例１の図４に示す表示内容に加えて大量の多種類の紙幣を投入して新紙幣と旧紙幣に分別するための「連続分別」ボタンが表示される。
係員は、分別の目的に応じて「小束施封」ボタン、「新旧分別」ボタンまたは「連続分別」ボタンを選択し、入力部５の「完了」ボタンを押下する。
【００７４】
なお、「メニュー」ボタンが押下された場合には、実施例１のステップＳ１で説明した作動と同様である。
ＳＡ２、「完了」ボタンの押下を検知した主制御部２は、「小束施封」ボタンまたは「新旧分別」ボタンが選択されている場合はステップＳＡ３へ、「連続分別」ボタンが選択されている場合はステップＳＡ４へ移行する。
【００７５】
ＳＡ３、新旧分別処理または小束施封処理の選択を認識した主制御部２は、上記実施例１のステップＳ３〜Ｓ１２と同様にしてそれぞれの処理を実行する。
ＳＡ４、連続分別処理の選択を認識した主制御部２は、表示操作部４の画面に図１１に示す連続分別計数結果表示画面を表示する。
連続分別計数結果表示画面には、入金口１１への現金の投入を促す旨の文言と連続分別処理の操作手順、「メニュー」ボタンおよび連続分別計数した各紙幣の小束紙幣の作成束数と各集積部２１に残留した端数および分別集積した紙幣の合計枚数の分別計数結果表示欄等が表示される。
【００７６】
この時、図１１に［］を付して示した分別計数結果表示欄は空欄となっており、連続分別計数が終了した時にその枚数や束数等が表示される。
係員は入金口１１へ新旧紙幣を共にした紙幣を投入し、「計数開始」ボタンを押下する。
ＳＡ５、「計数開始」ボタンの押下を検知した主制御部２は、入金口１１へ紙幣が投入されたことを確認して上記の入金処理の作動と同様にして投入された紙幣を入金鑑別部１３へ搬送して紙幣の種類の鑑別と計数を行い、その鑑別結果を主制御部２へ転送する。
【００７７】
ＳＡ６、鑑別結果の転送を受けた主制御部２は、鑑別された紙幣の種類が施封小束支払部９の集積部２１に設定されている紙幣の場合はステップＳＡ７へ、紙幣入出金部８の一時保留部１４に設定されている紙幣の場合はステップＳＡ８へ移行する。
ＳＡ７、鑑別された紙幣が一時保留部１４に設定されている紙幣と認識した主制御部２は、実施例１のステップＳ６と同様にして鑑別された紙幣を入金鑑別部１３から一時保留部１４へ搬送し、設定された紙幣設定に従って一時保留部１４に紙幣を分別して集積する。
【００７８】
本実施例では、記憶部６に格納されている紙幣設定に従って一時保留部１４ａには旧５千券が、一時保留部１４ｂには新万券が、一時保留部１４ｃには新千券が、一時保留部１４ｄに新５千券と２千券が搬送されて集積される。
なお、一時保留部１４に集積した紙幣がフル状態となったときの作動は、実施例１のステップＳ６の作動と同様である。
【００７９】
ＳＡ８、鑑別された紙幣が集積部２１に設定されている紙幣と認識した主制御部２は、実施例１のステップＳ１０と同様にして鑑別された紙幣を入金鑑別部１３から施封小束支払部９へ搬送し、設定された紙幣設定に従って各集積部２１に紙幣を集積し、集積された紙幣が所定の枚数に達すると施封部２３で施封してシュータ２８により小束紙幣を施封小束支払部９の外部へ放出する。
【００８０】
なお、鑑別された紙幣が搬送異常等により鑑別できない紙幣の場合は、主制御部２は異常紙幣を搬送路１２ｈにより入金リジェクト部１８へ搬送して係員に返却する。
本実施例では、記憶部６に格納されている紙幣設定に従って集積部２１ａには旧万券が、集積部２１ｂには旧千券が集積され、所定の枚数に達したときにそれぞれの小束紙幣として放出される。
【００８１】
ＳＡ９、主制御部２は入金口１１の残量を確認すると共に上記ステップＳＡ７またはＳＡ８により紙幣を分別する分別作動の終了を確認し、全ての紙幣の集積が終了している場合はステップＳＡ１０へ移行する。
入金口１１に残量がある場合はステップＳＡ５へ戻って上記ステップＳＡ６〜ＳＡ８の分別作動を繰返す。
【００８２】
なお、上記の終了判断は、ステップＳＡ７とＳＡ８において入金鑑別部１３で鑑別、計数して搬送路１２ｂへ搬出された時に行い、次の紙幣を鑑別するようにしてステップＳＡ７とＳＡ８を並行処理とするようにしてもよい。
ＳＡ１０、分別作動の終了を判断した主制御部２は、表示操作部４の画面に表示している図１０の各表示欄に入金鑑別部１３が鑑別、計数した紙幣の種類毎の合計枚数や小束紙幣の作成束数および各集積部２１に残留した端数等を表示し、係員は表示内容を確認して入力部５の「完了」ボタンを押下する。
【００８３】
ＳＡ１１、「完了」ボタンの押下を検知した主制御部２は、一時保留部１４の自動ロック機構を開錠して一時保留部１４を開放する。
係員は開放された一時保留部１４から分別して集積された紙幣を取り出す。
ＳＡ１２、係員の一時保留部１４に集積した紙幣の受取りを検知した主制御部２は、一時保留部１４を施錠する。
【００８４】
そして、集積部２１に端数の紙幣が残留する場合はステップＳＡ１３へ、端数がない場合はステップＳＡ１４へ移行する。
ＳＡ１３、集積部２１の紙幣の残留を認識した主制御部２は、集積部２１の自動ロック機構を開錠して集積部２１を開放し、係員が集積部２１から残留している端数の紙幣を取り出したことを確認して集積部２１を施錠する。
【００８５】
ＳＡ１４、新旧分別処理、小束施封処理または連続分別処理を終えた主制御部２は、それぞれの処理結果をプリンタ部７によって印刷して出力する。
その後、主制御部２は連続分別処理を終了させ、表示操作部４の画面に業務選択画面を表示して待機する。
なお、本実施例においては、一時保留部１４を４つ設けるとして説明したが、一時保留部１４は２つ以上であれば幾つであってもよい。一時保留部が２つの場合には一方の一時保留部１４には旧５千券を、他方の一時保留部１４には４種類の新紙幣を集積するように紙幣設定を行うようにする。
【００８６】
以上説明したように、本実施例では、実施例１の効果に加えて、旧万券と旧千券を施封小束支払部により施封して集積し、旧５千券を一時保留部に集積して分別するようにしたことによって、一回の連続分別処理により３種類の旧紙幣を分別することができ、旧紙幣の回収業務の業務効率を更に向上させることができる。
【図面の簡単な説明】
【００８７】
【図１】実施例１の紙幣入出金部と施封小束支払部示すブロック図
【図２】実施例１の現金処理機を示すブロック図
【図３】実施例１の分別処理を示すフローチャート
【図４】実施例１の分別処理入力画面表示例
【図５】実施例１の分別紙幣設定変更画面表示例
【図６】実施例１の分別計数結果表示画面表示例
【図７】実施例１の施封紙幣設定入力画面表示例
【図８】実施例１の小束施封結果表示画面表示例
【図９】実施例２の連続分別処理を示すフローチャート
【図１０】実施例２の分別処理入力画面表示例
【図１１】実施例２の連続分別計数結果表示画面表示例
【符号の説明】
【００８８】
１    現金処理機
２    主制御部
３    通信部
４    表示操作部
５    入力部
６    記憶部
７    プリンタ部
８    紙幣入出金部
９    施封小束支払部
１１  入金口
１２ａ〜１２ｊ  搬送路
１３  入金鑑別部
１４ａ、１４ｂ、１４ｃ、１４ｄ  一時保留部
１５ａ、１５ｂ、１５ｃ、１５ｄ  紙幣金庫
１６  出金鑑別部
１７  出金口
１８  入金リジェクト部
１９  リジェクト庫
２０  部間搬送路
２１ａ、２１ｂ  集積部
２２ａ、２２ｂ、２２ｃ  搬送路
２３  施封部
２４ａ、２４ｂ、２４ｃ、２４ｄ  小束金庫
２５  予備収納庫
２６  キャリア搬送路
２７  エレベータ
２８  シュータ
２９  小束出金口
【図１】
2005099887.tif 000003
【図２】
2005099887.tif 000004
【図３】
2005099887.tif 000005
【図４】
2005099887.tif 000006
【図５】
2005099887.tif 000007
【図６】
2005099887.tif 000008
【図７】
2005099887.tif 000009
【図８】
2005099887.tif 000010
【図９】
2005099887.tif 000011
【図１０】
2005099887.tif 000012
【図１１】
2005099887.tif 000013